(57)【要約】皮膚の手入れ装置が、出口ポートを含んで出口ポートからサンプまで延在するチャンバを画定するレセプタクルを含み、サンプは、レセプタクルの不透過性部分によって画定され、出口ポートを通して挿入されたチューブの１つの端部を受け取るように配設されている。ウィッキング材料は、皮膚の特定領域を覆って設置するためのレセプタクルの透過性部分を覆って受け取られる。減圧がサンプに適用される場合、特定領域は、特定領域が湿っているときに蒸発冷却によって冷却される。装置は、少なくとも１つの通気孔を含み、当該通気孔は、気流を促進するように配置され、そして、減圧が適用されている間、ウィッキング材料が設置されているところに隣接する皮膚の一部分において減圧が生じることを防止する。装置は、傷の手入れのため、及び皮膚ひだ内部にウィッキング材料を配設するために使用されてもよい。
2020501736.tif 000002
【特許請求の範囲】
【請求項１】
人の皮膚の特定領域の微気候を管理することによって前記皮膚の特定領域を手入れするための装置であって、前記装置は、
出口ポートを含み、前記出口ポートから、レセプタクルの不透過性部分によって画定され前記出口ポートを通して挿入されたチューブの１つの端部を受け取るように配設されているサンプまで延在するチャンバを画定するレセプタクルを備え、前記チャンバは、前記レセプタクルの透過性部分を通して前記チャンバ中に引き込まれた流体を受け取るように形成され、流体は、前記サンプに適用された減圧によって前記チャンバ中に引き込まれてもよく、
前記レセプタクルは、前記レセプタクルの透過性部分の少なくとも一部を覆うウィッキング材料を受け取るように構成され、また、前記皮膚の特定領域の少なくとも一部分を覆って前記ウィッキング材料の少なくとも一部を設置するように構成及び寸法設定され、それにより、前記ウィッキング材料の位置において、減圧が前記サンプに適用された場合、前記皮膚の特定領域の前記少なくとも一部分は、前記特定領域が湿っているときに蒸発冷却によって冷却される、
ことを特徴とする装置。
【請求項２】
前記ウィッキング材料は、前記レセプタクルによって受け取られる、
ことを特徴とする請求項１に記載の装置。
【請求項３】
前記皮膚の特定領域の前記少なくとも一部分を覆って前記ウィッキング材料を設置するようには構成されていない、前記装置の少なくとも一部分を覆う不透過性層を更に備える、
ことを特徴とする請求項２に記載の装置。
【請求項４】
前記不透過性層又は前記レセプタクルのうちの１つ又は複数の一部分内に配設された少なくとも１つの通気孔を更に備え、
前記少なくとも１つの通気孔は、前記ウィッキング材料が前記皮膚の特定領域の前記少なくとも前記一部分を覆って設置されている間、前記人の皮膚に接触しないように配設されることにより、前記皮膚の特定領域の少なくとも前記一部分から空気を引き込むことを促進し、前記減圧が適用されている間、前記ウィッキング材料がそのように設置されているところに隣接する前記人の皮膚の一部分において前記減圧が生じることを防止する、
ことを特徴とする請求項３に記載の装置。
【請求項５】
前記不透過性層によって提供された少なくとも１つの通気孔を更に備え、
前記少なくとも１つの通気孔は、前記少なくとも１つの通気孔の位置において前記ウィッキング材料を覆っていない、
ことを特徴とする請求項３に記載の装置。
【請求項６】
前記レセプタクルの不透過性部分内に配設された少なくとも１つの通気孔を更に備え、
前記少なくとも１つの通気孔は、前記ウィッキング材料が前記皮膚の特定領域の前記少なくとも一部分を覆って設置されている間、前記人の皮膚に接触しないように配設されることにより、前記皮膚の特定領域の少なくとも前記一部分から空気を引き込むことを促進し、前記減圧が適用されている間、前記ウィッキング材料がそのように設置されているところに隣接する前記人の皮膚の一部分において減圧が生じることを防止する、
ことを特徴とする請求項２に記載の装置。
【請求項７】
前記皮膚の特定領域の少なくとも一部分を覆って設置するように配設されている前記ウィッキング材料の一部分に隣接して配設されている指ポケットを更に備え、
前記ポケットは指を覆って嵌合されるように構成されている、
ことを特徴とする請求項２に記載の装置。
【請求項８】
前記レセプタクルは、潅注ポートを含み、液体が前記潅注ポート中に、そこから前記ウィッキング材料を通して前記チャンバ中に、そして前記皮膚の特定領域まで挿入されてもよい、
ことを特徴とする請求項６に記載の装置。
【請求項９】
前記レセプタクルは、潅注ポートを含み、液体が前記潅注ポート中に、そして前記チャンバ中に挿入されてもよい、
ことを特徴とする請求項１に記載の装置。
【請求項１０】
前記レセプタクルの透過性部分は、複数の開口部を有する紡糸プラスチック材料を備える、
ことを特徴とする請求項１に記載の装置。
【請求項１１】
人の皮膚の特定領域の微気候を管理することによって前記皮膚の特定領域を手入れする方法であって、前記方法は、
（ａ）前記皮膚の特定領域の少なくとも一部分にレセプタクルを備える装置を適用するステップであって、前記装置は、出口ポートを含み、前記出口ポートからサンプまで延在するチャンバを画定し、前記サンプは、前記レセプタクルの不透過性部分によって画定され、前記出口ポートを通して挿入されたチューブの１つの端部を受け取るように配設され、前記チャンバは、前記レセプタクルの透過性部分を通して前記チャンバ中に引き込まれた流体を受け取るように形成され、流体は、前記サンプに適用された減圧によって前記チャンバ中に引き込まれてもよく、ウィッキング材料が、前記レセプタクルの透過性部分の少なくとも一部を覆って受け取られ、前記レセプタクルは、前記皮膚の特定領域の少なくとも一部分を覆って前記ウィッキング材料の少なくとも一部を設置するように構成及び寸法設定され、それにより、前記ウィッキング材料の前記位置において、減圧が前記サンプに適用される場合、前記皮膚の特定領域の少なくとも一部分は、前記特定領域が湿っているときに蒸発冷却によって冷却され、不透過性層が、前記皮膚の特定領域の前記少なくとも一部分を覆って前記ウィッキング材料を設置するように構成されていない前記装置の少なくとも一部分を覆う、ステップと、
（ｂ）前記皮膚の特定領域の少なくとも一部分を、減圧を前記サンプに適用することによって、前記特定領域が湿っているときに蒸発冷却によって冷却させるステップと、
を備えることを特徴とする方法。
【請求項１２】
ステップ（ａ）中に、前記装置を前記皮膚の特定領域の前記少なくとも一部分に適用することによって、前記減圧が適用されている間、前記ウィッキング材料がそのように設置されているところに隣接する前記人の皮膚の一部分において減圧が生じることを防止するステップを更に備え、
前記装置内に、少なくとも１つの通気孔が、前記ウィッキング材料が前記皮膚の特定領域の少なくとも前記一部分を覆って設置されている間、前記人の皮膚に接触しないように配設されている前記不透過性層又は前記レセプタクルのうちの１つ又は複数の一部分内に配設されている、
ことを特徴とする請求項１１に記載の方法。
【請求項１３】
ステップ（ａ）は、潅注ポートを含む前記装置を適用するステップであって、液体が前記潅注ポート中に、そして前記チャンバ中に挿入されてもよい、ステップを備え、
前記方法は、液体を、前記潅注ポートを通して及び前記ウィッキング材料を通して前記チャンバ中に、そして前記皮膚の特定領域まで挿入することによって、前記皮膚の特定領域を潅注するステップを含む、
ことを特徴とする請求項１１に記載の方法。
【請求項１４】
人の皮膚の特定領域の微気候を管理することによって前記皮膚の特定領域を手入れする方法であって、前記方法は、
（ａ）前記皮膚の特定領域の少なくとも一部分に装置を適用するステップであって、前記装置は、出口ポートを含んで前記出口ポートからサンプまで延在するチャンバを画定するレセプタクルを備え、前記サンプは、前記レセプタクルの不透過性部分によって画定され、前記出口ポートを通して挿入されたチューブの１つの端部を受け取るように配設され、前記チャンバは、前記レセプタクルの透過性部分を通してチャンバ中に引き込まれる流体を受け取るように形成され、流体は、前記サンプに適用された減圧によって前記チャンバ中に引き込まれてもよく、ウィッキング材料が、前記レセプタクルの透過性部分の少なくとも一部を覆って受け取られ、前記レセプタクルは、前記皮膚の特定領域の少なくとも一部分を覆って前記ウィッキング材料の少なくとも一部を設置するように構成及び寸法設定され、それにより、前記ウィッキング材料の位置において、減圧が前記サンプに適用される場合、前記皮膚の特定領域の少なくとも一部分が、前記特定領域が湿っているときに蒸発冷却によって冷却される、ステップと、
（ｂ）減圧を前記サンプに適用することによって、前記特定領域が湿っているときに蒸発冷却によって前記皮膚の特定領域の少なくとも一部分を冷却させるステップと、
を備え、
ステップ（ａ）は、前記装置を適用することにより、前記ウィッキング材料の少なくとも一部が、皮膚ひだ内部に、前記人の乳房下に、前記人の腹部パンヌス下に、前記人の葉腋内部に、又は前記人の鼠径部領域の一部分を覆って配設されるステップを含み、そのような適用の際に、前記レセプタクルの前記ウィッキング材料又は前記透過性部分のうちの１つ又は複数の少なくとも部分が空気に露出されことにより、前記皮膚の特定領域の少なくとも前記一部分からの空気の引込みを促進し、前記減圧が適用されている間、前記ウィッキング材料がそのように設置されているところに隣接する前記人の皮膚の一部分において減圧が生じることを防止する、
ことを特徴とする方法。
【請求項１５】
人の皮膚の特定領域の微気候を管理することによって、前記皮膚の特定領域内の創傷を手入れする方法であって、前記方法は、
（ａ）前記皮膚の特定領域内の創傷に装置を適用するステップであって、前記装置は、出口ポートを含んで前記出口ポートからサンプまで延在するチャンバを画定するレセプタクルを備え、前記サンプは、前記レセプタクルの不透過性部分によって画定され、前記出口ポートを通して挿入されたチューブの１つの端部を受け取るように配設され、前記チャンバは、前記レセプタクルの透過性部分を通して前記チャンバ中に引き込まれた流体を受け取るように形成され、流体は、前記サンプに適用された減圧によって前記チャンバ中に引き込まれてもよく、ウィッキング材料が、前記レセプタクルの透過性部分の少なくとも一部を覆って受け取られ、前記レセプタクルは、前記皮膚の特定領域内の前記創傷を覆って前記ウィッキング材料の少なくとも一部を設置するように構成及び寸法設定されることにより、前記ウィッキング材料の前記位置において、減圧が前記サンプに適用される場合、前記皮膚の特定領域内の前記創傷は、前記特定領域が湿っているときに蒸発冷却によって冷却され、不透過性層が、前記皮膚の特定領域の前記少なくとも一部分を覆って前記ウィッキング材料を設置するようには構成されていない前記装置の少なくとも一部分を覆う、ステップと、
（ｂ）前記皮膚の特定領域内の前記創傷を処置するステップと、
を備え、
前記創傷を処置するステップは、
液体を前記レセプタクル内の潅注ポートを通して、それから前記ウィッキング材料を通して前記チャンバ中に、そして前記皮膚の特定領域内の前記創傷まで挿入することによって前記創傷を潅注するステップと、
減圧を前記サンプに適用することにより、前記創傷が湿っているときに前記創傷を蒸発冷却によって冷却させ、前記創傷を鮮創させるステップとを含む、
ことを特徴とする方法。
【請求項１６】
（ｃ）ステップ（ａ）中に、前記皮膚の特定領域の前記少なくとも一部分に前記装置を適用することによって、前記減圧が適用されている間、前記ウィッキング材料がそのように設置されているところに隣接する前記人の皮膚の一部分において減圧が生じることを防止するステップであって、前記装置内に、前記ウィッキング材料が前記皮膚の特定領域の少なくとも前記一部分を覆って設置されている間、少なくとも１つの通気孔が、前記人の皮膚と接触しないように配設されている前記不透過性層又は前記レセプタクルのうちの１つ又は複数の一部分内に配設されている、ステップを更に備える、
ことを特徴とする請求項１５に記載の方法。
【発明の詳細な説明】
【技術分野】
【０００１】
関連出願の相互参照
本出願は、２０１６年１２月１９日に出願された米国特許出願第１５／３８４，１９６号に対する優先権を主張し、この出願の開示内容は、参照によりその全体が本明細書に組み込まれる。
【０００２】
本開示は、概して、皮膚手入れに関連し、具体的には、創傷手入れを含む、皮膚の微気候管理によって人の皮膚を手入れするための装置及び方法を目的とする。
【背景技術】
【０００３】
Ｌａｃｈｅｎｂｒｕｃｈの特許文献１は、人の皮膚の特定領域の手入れが、空気を皮膚の特定領域にわたって流動させて、蒸発によって皮膚の特定領域を冷却することによる等、皮膚の特定領域の微気候管理によって向上させられることを教示する。気動が、蒸発冷却を可能にする。
【先行技術文献】
【特許文献】
【０００４】
【特許文献１】米国特許第９，２２２，６８５号明細書
【発明の概要】
【課題を解決するための手段】
【０００５】
本明細書において開示される実施形態は、人の皮膚の特定領域を、皮膚の特定領域の微気候を管理することによって手入れするための装置及び関連する方法を提供する。一実施形態では、方法は、出口ポートを含んで出口ポートからサンプまで延在するチャンバを画定するレセプタクルを含み、サンプは、レセプタクルの不透過性部分によって画定され、出口ポートを通して挿入されたチューブの１つの端部を受け取るように配設され、チャンバは、レセプタクルの透過性部分を通してチャンバ中に引き込まれる流体を受け取るように形成されており、流体は、サンプに適用された減圧によってチャンバ中に引き込まれてもよい。レセプタクルは、ウィッキング材料をレセプタクルの透過性部分の少なくとも一部を覆って受け取るように構成され、また、ウィッキング材料の少なくとも一部を皮膚の特定領域の少なくとも一部分を覆って設置するように構成及び寸法設定され、それにより、ウィッキング材料の上記位置において、減圧がサンプに適用される場合、上記皮膚の特定領域の少なくとも一部分が、特定領域が湿っているときに蒸発冷却によって冷却される。
【０００６】
本明細書において開示される実施形態は、また、皮膚の特定領域の微気候を管理することによって、人の皮膚の特定領域を手入れする方法を提供する。方法は、装置を皮膚の特定領域の少なくとも一部分に適用することを含み、装置は、出口ポートを含んで出口ポートからサンプまで延在するチャンバを画定するレセプタクルを備え、サンプは、レセプタクルの不透過性部分によって画定され、出口ポートを通して挿入されたチューブの１つの端部を受け取るように配設され、チャンバは、レセプタクルの透過性部分を通してチャンバ中に引き込まれる流体を受け取るように形成されており、流体は、サンプに適用された減圧によってチャンバ中に引き込まれてもよく、ウィッキング材料は、レセプタクルの透過性部分の少なくとも一部を覆って受け取られ、レセプタクルは、皮膚の特定領域の少なくとも一部分を覆ってウィッキング材料の少なくとも一部を設置するように構成及び寸法設定され、それにより、ウィッキング材料の上記位置において、減圧がサンプに適用される場合、皮膚の特定領域の少なくとも一部分が蒸発によって冷却され、不透過性層は、皮膚の特定領域の上記少なくとも一部分を覆ってウィッキング材料を設置するように構成されていない装置の少なくとも一部分を覆う。方法は、減圧をサンプに適用して、空気を皮膚の特定領域の少なくとも一部分から引き込まされることにより、特定領域が湿っているときに蒸発冷却によって特定領域の上記少なくとも一部分を冷却する。
【０００７】
１つ又は複数の実施形態に従う装置は、皮膚の特定領域内の創傷を処置するために用いられてもよい。
【０００８】
本明細書において開示された実施形態は、皮膚の特定領域の微気候を管理することによって、人の皮膚の特定領域内の創傷を手入れする方法を提供する。方法は、装置を皮膚の特定領域内の創傷に適用することを含み、装置は、出口ポートを含んで出口ポートからサンプまで延在するチャンバを画定するレセプタクルを備え、サンプは、レセプタクルの不透過性部分によって画定され、出口ポートを通して挿入されたチューブの１つの端部を受け取るように配設され、チャンバは、レセプタクルの透過性部分を通してチャンバ中に引き込まれた流体を受け取るように形成されており、流体は、サンプに適用される減圧によってチャンバに引き込まれてもよく、ウィッキング材料は、レセプタクルの透過性部分の少なくとも一部を覆って受け取られ、レセプタクルは、皮膚の特定領域内の創傷を覆ってウィッキング材料の少なくとも一部を設置するように構成及び寸法設定され、それにより、ウィッキング材料の上記位置において、減圧がサンプに適用される場合、皮膚の特定領域の創傷が、特定領域が湿っているときに蒸発冷却によって冷却され、不透過性層は、皮膚の特定領域の上記少なくとも一部分を覆ってウィッキング材料を設置するように構成されていない装置の少なくとも一部分を覆う。方法は、皮膚の特定領域内の創傷を処置することを含む。創傷を処置することは、液体をレセプタクルの潅注ポートを通して、それからウィッキング材料を通して、チャンバ中に、そして皮膚の特定領域内の創傷まで挿入することによって創傷を潅注することを含む。創傷を処置することは、減圧をサンプに適用して、創傷が湿っているときに創傷を蒸発冷却によって冷却させ、創傷を鮮創させることを含む。
【０００９】
蒸発冷却によって皮膚の特定領域の少なくとも一部分を冷却することに加えて、本明細書において開示された装置及び方法は、装置を皮膚の特定領域の少なくとも一部分に適用している間に皮膚の特定領域の少なくとも上記一部分に適用することによって、減圧が適用されている間、ウィッキング材料がそのように設置されているところに隣接する人の皮膚の一部分に減圧が生じることを防止し、装置は、出口ポートを含んで出口ポートからサンプまで延在するチャンバを画定するレセプタクルを備え、サンプは、レセプタクルの不透過性部分によって画定され、そして出口ポートを通して挿入されたチューブの１つの端部を受け取るように配設され、チャンバは、レセプタクルの透過性部分を通してチャンバ中に引き込まれた流体を受け取るように形成されており、流体は、サンプに適用された減圧によってチャンバ中に引き込まれてもよく、ウィッキング材料は、レセプタクルの透過性部分の少なくとも一部を覆って受け取られ、レセプタクルは、皮膚の特定領域の少なくとも一部分を覆ってウィッキング材料の少なくとも一部を設置するように構成及び寸法設定され、それにより、ウィッキング材料の上記位置において、減圧がサンプに適用される場合、皮膚の特定領域の少なくとも一部分は、特定領域が湿っているときに蒸発冷却によって冷却され、不透過性層は、皮膚の特定領域の少なくとも一部分を覆ってウィッキング材料を設置するように構成されていない装置の少なくとも一部分を覆い、装置において、少なくとも１つの通気孔が、不透過性層又はレセプタクルのうちの１つ又は複数の一部分内に配設され、不透過性層又はレセプタクルのうちの１つ又は複数は、ウィッキング材料が皮膚の特定領域の少なくとも一部分を覆って設置されている間、人の皮膚と接触しないように配設される。
【００１０】
開示された実施形態のうちの任意のものからの特徴は、制限無く互いに組合せて用いられてもよい。加えて、本開示の別の特徴及び長所は、以下の詳細な説明及び添付図面についての考察によって当業者に明らかになるであろう。実施形態の追加の特徴は、詳細な説明に関して説明される。
【図面の簡単な説明】
【００１１】
【図１】実施形態に従う皮膚手入れ装置の例示的実施形態についての概略図であり、内部チャンバが破線によって示されている。
【図１Ａ】図１の線１ａ−１ａに沿ってとられた図１に示すレセプタクルの概略端面断面図であり、出口ポートを通して内部チャンバ内に受け取られたチューブ、及びレセプタクルの一部分を覆うウィッキング材料を更に示している。
【図１Ｂ】図１の線１ｂ−１ｂに沿ってとられた図１に示すレセプタクルの側断面図であり、出口ポートを通して内部チャンバ内に受け取られたチューブ、及びレセプタクルの一部分を覆うウィッキング材料を更に示している。
【図２】皮膚が皮膚上に重なる領域を手入れするための実施形態に従う装置のウィッキング材料の例示的使用を示す。
【図３】潅注ポートを更に含む、実施形態に従う装置の別の例示的実施形態の概略部分端面断面図であり、皮膚の特定領域を潅注するための潅注ポートと組合せて用いられてもよいシリンジを示す。
【図４】指ポケットを更に含む、実施形態に従う装置の更に別の例示的実施形態の概略部分側断面図である。
【００１２】
これらの図は、正確な縮尺率ではなく、又は例示的実施形態の様々な構成要素の形状を示すように描かれておらず、単に様々な構成要素の相対的配置を示す目的のためだけに描かれている。
【発明を実施するための形態】
【００１３】
図１、１Ａ及び１Ｂを参照すると、実施形態に従う皮膚手入れ装置１０の一例示的実施形態は、レセプタクル１１を含む。レセプタクルは、出口ポート１４を含み、出口ポート１４からサンプ１５まで延在するチャンバ１３を画定する。サンプ１５は、レセプタクル１１の不透過性部分１２ａによって画定され、出口ポート１４を通して挿入されたチューブ１９の１つの端部を受け取るように配設されている。好ましくは、チューブ１９がチャンバ１３内に受け取られることにより、チューブ１９の開放端が、サンプ１５中に延在して、ストローを吸うときに提供される吸引作用のような、サンプ１５内での吸引作用を可能にする。
【００１４】
チャンバ１３は、レセプタクル１１の透過性部分１２ｂを通してチャンバ１３中に引き込まれた流体を受け取るように形成されている。流体は、チューブ１９がサンプ１５に適用する減圧によって、チャンバ１３中に引き込まれてもよい。チャンバ１３は、任意の形状であってもよく、典型的には円形よりも平坦である。
【００１５】
レセプタクル１１は、レセプタクル１１の透過性部分１２ｂの少なくとも一部を覆ってウィッキング材料１８を受け取るように構成され、また、皮膚の特定領域の少なくとも一部分を覆ってウィッキング材料１８の少なくとも一部を設置するように構成及び寸法設定されることにより、ウィッキング材料１８のそのような位置において、減圧がサンプ１５に適用される場合、皮膚の特定領域は、特定領域が湿っているときに蒸発冷却によって冷却される。
【００１６】
ウィッキング材料１８は、ファブリックのような例示的材料、及び微気候管理を阻害することなく、空気及び液体が通過することができる非常に多くの経路を画定する不織布材料（ガーゼ等）から選択される。
【００１７】
皮膚手入れ装置１０についてのこの例示的実施形態では、レセプタクル１１の透過性部分１２ｂは、複数（例えば、１００超等の非常に多数）の小さい開口部（例えば、１μｍ以上の開口部）を有する紡糸プラスチック材料の網を含む。いくつかの実施形態では、紡糸プラスチック材料の透過性網は、シートを覆って屈曲する及び折り重なることによってチャンバ１３の断面を画定することにより、シートの反対側側面が（１６に示すように）一緒に近接して保持されるか、又は接触するように構成されているシートである。透過性網の反対側側面は、接着性バンドによって若しくは接着剤等の別の手段によって、又はウィッキング材料１８（図１Ｂ）等のなんらかの物品がシートの周りに巻かれている場合に生成される圧縮力によって、一緒に保持されてもよい。いくつかの別の実施形態では、透過性網の反対側縁部が接触しない。
【００１８】
図１Ａ及び３において、チャンバ１３は、長方形断面を有するように示されているけれども、レセプタクル１１の透過性部分１２ｂは、好ましくは、可撓性の紡糸プラスチック材料の折り重なったシートの２つの対向レセプタクルの間のチャンバ等の、チューブ１９を受け取るのに十分な任意の断面形状等のなんらかの別の断面形状を有するチャンバ１３を画定するように構成される。
【００１９】
いくつかの実施形態では、ウィッキング材料１８がレセプタクル１１の透過性部分１２ｂの少なくとも一部を覆うように受け取られ、皮膚手入れ装置１０は、また不透過性層２０を含む。不透過性層２０は、皮膚の特定露出領域の少なくとも一部分に当接して設置するように配設されるウィッキング材料１８の側面には配設されていない。不透過性層２０は、皮膚の特定領域の一部分を覆ってウィッキング材料１８を設置するように構成されていない装置１０の少なくとも一部分を覆う。不透過性層２０は、減圧の低下を減少させて、液体が皮膚手入れ装置１０から外に漏れること並びに患者及び／又はユーザの衣服を濡らすことを防止することを助け、同時に、それでも空気がウィッキング材料１８の覆われていない部分を通って流れることを可能にする。
【００２０】
図１Ａは、ウィッキング材料１８が、レセプタクル１１の透過性部分１２ｂの断面周辺部の周り全体でレセプタクル１１の透過性部分１２ｂによって受け取られているのを示す。レセプタクル１１が、ウィッキング材料１８をレセプタクル１１の透過性部分１２ｂの断面周辺部の周り全体で受け取るように構成されていないいくつかの実施形態では、レセプタクル１１の透過性部分１２ｂは、また、チャンバ１３の断面周辺部の周りに必ずしも配設されるわけではない。
【００２１】
いくつかの実施形態では、レセプタクル１１の不透過性部分１２ａは、不透過性層２０と結合し、そして、レセプタクル１１の透過性部分１２ｂは、（図１Ｂに示すもの等と異なり）必ずしも不透過性層２０下方に配設されるわけではなく、それによって、不透過性層２０は、チャンバ１３の長手方向延在部の一部分を画定する。
【００２２】
不透過性層２０は、皮膚ひだ内部、人の乳房下、人の腹部パンヌス下、人の葉腋内部、又は人の鼠径部領域の一部分内等の、皮膚が皮膚上に重なるような皮膚の領域を手入れするときには必要ではなく、その理由は、これらの領域内の皮膚の身体ひだが減圧の低下を防止し、それによって、減圧が適用されたときにウィッキング材料が蒸発冷却を十分に提供するからである。
【００２３】
少なくとも１つの通気孔が、人の皮膚に接触しないように配設されている不透過性層２０の一部分及び／又はレセプタクル１１の一部分内に配設され、同時に、ウィッキング材料１８が皮膚の特定領域の少なくとも一部分を覆って設置されていることにより、皮膚の特定領域の少なくともそのような部分から空気を引き込むことを促進し、そして減圧が適用される間、ウィッキング材料１８がそのように設置されたところの皮膚の一部分において減圧が生じることを防止する。
【００２４】
図１、１Ａ及び１Ｂに関して本明細書に記載された例示的実施形態では、少なくとも１つの通気孔が、不透過性層２０内の孔２２によって提供される。
【００２５】
いくつかの実施形態では、ウィッキング材料１８は自然に排気させられるので、少なくとも１つの通気孔が、出口ポート１４を含むレセプタクル１１の端部等の通気孔の位置に、ウィッキング材料１８を覆っていない不透過性層２０によって提供されてもよい。通気孔は、サンプ１５の近くに設置されてはならない。そうではなく、通気孔の位置は、サンプ１５から遠位の不透過性層２０又はレセプタクル１１のいずれかの部分にあってもよい。
【００２６】
いくつかの実施形態では、少なくとも１つの通気孔は、皮膚手入れ装置１０が皮膚を手入れするために使用されている間、ウィッキング材料１８を受け取るように、又は皮膚と接触するようには構成されていないレセプタクル１１の不透過性部分内に配設されてもよい。
【００２７】
いくつかの実施形態では、それぞれの通気孔は、約２ミリメートルの直径を有する孔２２によって提供される。孔２２のサイズ及び形状は、別の実施形態では異なってもよい。いくつかの実施形態では、少なくとも１つの通気孔が、スリット等、円形以外のものであってもよい。少なくとも１つの通気孔は、空気がウィッキング材料１８を通って流れている間に、ウィッキング材料１８が設置されているところに隣接する人又は動物の皮膚の一部分において減圧が生じることを防止するような形状及びサイズのものである必要がある。
【００２８】
通気孔は、上記のように不透過性層が不必要であるところの皮膚が皮膚上に重なるところの皮膚のそれらの領域を手入れするために装置１０を使用するときには、空気に露出されてもよい。例えば、図２に示すように、ウィッキング材料１８が乳房２１下に配設されているとき、通気孔は、乳房２１の少なくとも１つの側でのウィッキング材料１８の露出によって提供される。
【００２９】
図３を参照すると、別の例示的実施形態では、皮膚手入れ装置１０’は、また、潅注ポート２６を含む。いくつかの実施形態では、潅注ポート２６は、ウィッキング材料１８と不透過性層２０との間に配設されてもよい。
【００３０】
シリンジ２８から延在するチューブ２７が、潅注ポート２６中に挿入され、そして皮膚の特定領域内の創傷が、シリンジを使用することによって潅注されて、液体を潅注ポート２６を通して、それからウィッキング材料１８を通してチャンバ１３中に、そして皮膚の特定領域まで挿入する。皮膚の特定領域が創傷を含むとき、創傷は、サンプに減圧を適用することによって機械的に鮮創されて、死組織及び流体がウィッキング材料１８’によって創傷から逃され、レセプタクルの透過性部分１２ｂを通してサンプ中に引き抜かれ、サンプから、受け取られたチューブ１９を通して運ばれるようにされる。
【００３１】
そのような潅注は、ウィッキング材料１８が適用されている皮膚の特定領域内の創傷を浄化してもよい。そのような潅注は、また、そのような特定領域に薬物及び有益な酵素を提供し、また、蒸発冷却を可能にし、及び皮膚に潤いを与えるための液体を提供する。
【００３２】
図４を参照すると、実施形態に従う、皮膚手入れ装置３０の別の例示的実施形態は、レセプタクルを含む。装置３０は、透過性部分３２と、不透過性部分３３と、透過性部分３２の一部分を覆うウィッキング材料３４と、皮膚の特定領域の少なくとも一部分を覆う位置に対して配設されているウィッキング材料３４の一部分に隣接して配設された指ポケット３５と、を含む。指ポケット３５は、指３６を覆って嵌合されるように構成されている。装置３０は、また、出口ポート３７を含み、出口ポート３７からサンプ３９まで延在するチャンバ３８を画定する。サンプ３９は、レセプタクルの不透過性部分３３の部分によって画定され、出口ポート３７を通して挿入されたチューブ４１の１つの端部を受け取るように配設される。好ましくは、チューブ４１は、チャンバ３８内に受け取られることにより、チューブ４１の開放端がサンプ３９中に延在し、サンプ３９内での吸引作用を可能にする。
【００３３】
減圧が、指ポケット３５が使用されている間、サンプに適用される。
【００３４】
また、皮膚の特定領域は、指ポケット３５が使用されている間、（図３の２６で示されるもの等の）潅注ポート中に挿入されたシリンジ（図示せず）の使用によって潅注されてもよい。
【００３５】
外科医又は看護師が、指３６を指ポケット３５中に挿入し、シリンジによって皮膚の特定領域を潅注している間に、挿入された指３６を用いて装置３０を位置決めし、それによって手術中又は創傷を潅注している間に、皮膚の特定領域の清浄を維持し、それで皮膚の特定領域のより良好な視界を可能にする。
【００３６】
指３６が、手術中に指ポケット３５内に挿入されているとき、操作チーム人員は、指ポケット３５を使用して、穿孔された組織の孔を覆うようにウィッキング材料３２を位置決めすることにより、穿孔された組織の孔から血液及び別の流体を除去してもよい。
【００３７】
装置３０を使用して、減圧をサンプ３９に適用することによる特定領域が湿っているときの蒸発冷却によって、ウィッキング材料３４が適用されている皮膚の特定領域の部分を冷却する。
【００３８】
装置３０は、また、上記のように、皮膚が皮膚上に重なるところの皮膚のそれらの領域を手入れするために使用されてもよい。
【００３９】
様々な実施形態の使用例は、外傷又は疾患によって損なわれた皮膚を手入れすること、及び皮膚のひだ同士間又は乳房下等の皮膚の創傷又は別の特定領域から望ましくない湿気を除去することを含む。そのような湿気除去使用に対して、皮膚手入れ装置は、好ましくは、チャンバを通る湿気の流れを抑制するであろう不透過性障壁を含まない。
【００４０】
本明細書で具体的に述べた利点は、すべての考え得る実施形態に必ずしも当てはまるわけではない。更に、そのような述べた利点は、単なる例であり、そして、本明細書で開示された実施形態の唯一の利点として解釈されてはならない。
【００４１】
上記の説明は多くの特性を含むけれども、これらの特性は、この開示の範囲についての限定として解釈されてはならず、むしろ、本明細書に記載された好ましい実施形態の例として解釈されなければならない。別の変形が可能であり、そして、本発明の範囲は、本明細書に記載された実施形態によって決定されてはならず、むしろ請求項及びそれらの法的均等物によって決定されなければならない。
【図１】
2020501736.tif 000003
【図１Ａ】
2020501736.tif 000004
【図１Ｂ】
2020501736.tif 000005
【図２】
2020501736.tif 000006
【図３】
2020501736.tif 000007
【図４】
2020501736.tif 000008
【国際調査報告】
2020501736.tif 000009